(57)【特許請求の範囲】
【請求項１】
化粧皿を受容する容器本体と、この容器本体に開閉自在に蝶着される蓋体とを備え、容器本体に形成した凹陥部に設けた第１係合突起に蓋体側に設けた第２係合突起が係合されて、蓋体の閉止状態が保持されるようになった化粧料容器において、
前記第１，第２係合突起の係合部分に外方から連通する開口部を容器本体に形成し、この開口部に薄肉軟質膜体で形成した押ボタンを密閉して取付けると共に、この押ボタンから一体に押ボタンの押圧により押し込まれる突起部を突設し、突起部には、その先端部に折り曲げ自在な略三角形状であって、上側が第２係合突起の下側に当接し、突起部の押し込みで凹陥部の後方内壁をガイド面としてせり上がって第２係合突起を第１係合突起から離脱させる折曲片を形成したことを特徴とする化粧料容器。
【請求項２】
化粧皿を受容する容器本体と、この容器本体に開閉自在に蝶着される蓋体とを備え、容器本体に形成した凹陥部に設けた第１係合突起に蓋体側に設けた第２係合突起が係合されて、蓋体の閉止状態が保持されるようになった化粧料容器において、
前記第１，第２係合突起の係合部分に外方から連通する開口部を容器本体に形成し、この開口部に薄肉軟質膜体で形成した押ボタンを密閉して取付けると共に、この押ボタンから一体に押ボタンの押圧により押し込まれる突起部を突設し、突起部には、その先端部に折り曲げ自在な略菱形状であって、第２係合突起の下側および凹陥部に形成した段部双方に当接し、突起部の押し込みで段部の規制を受けてせり上がって第２係合突起を第１係合突起から離脱させる折曲片を形成したことを特徴とする化粧料容器。
【請求項３】
前記押ボタンは薄肉軟質膜体で形成した膜体部分と、この膜体部分の周縁部に配置されて容器本体に嵌着される厚肉部分とで構成し、この厚肉部分から前記突起部を一体に形成したことを特徴とする請求項１または２に記載の化粧料容器。
【発明の詳細な説明】
【０００１】
【産業上の利用分野】
本発明は、携帯容易に化粧料を収納する化粧料容器に関する。
【０００２】
【従来の技術】
一般に、化粧料を携帯する際に化粧料容器が用いられるが、この化粧料容器は容器本体内に設けられる中枠に化粧皿を形成し、この化粧皿内に化粧料を収納するようになっており、かつ、容器本体の後端部に開閉自在に蝶着される蓋体を設け、この蓋体で容器本体上側を覆うようになっている。そして、容器本体側および蓋体側の前端部間にそれぞれ設けられる係合突起を互いに係合することにより、蓋体の閉止状態が保持されるようになっている。また、前記係合突起の係合を解除して蓋体を開放するためのプッシュボタンが、容器本体の前端部から突出されるのが一般的な構造となっている。
【０００３】
ところで、この種の化粧料容器では実開昭６２−２１２０４号公報に開示されるように、前記プッシュボタンに工夫を凝らすようにしたものがある。即ち、この化粧料容器では蓋体側に設けた係合突起を強制的に押上げる押上部材を容器本体に形成した凹欠溝内に取付けると共に、この凹欠溝の前面入口部に軟質カバーを設け、この軟質カバーを押圧することにより押上部材を作動して蓋体を開放するようになっている。
【０００４】
【発明が解決しようとする課題】
しかしながら、かかる従来の化粧料容器にあっては、押上部材が独立して設けられるため、部品点数が増加して組付け性が著しく悪化される。また、前記軟質カバーが厚肉に形成されるため、押上部材を作動するために大きな押圧力を必要とし、蓋体の開放操作性が悪化されるという課題があった。
【０００５】
そこで、本発明はかかる従来の課題に鑑みて、部品点数の削減および蓋体の開放操作性の向上を図るようにした化粧料容器を提供することを目的とする。
【０００６】
【課題を解決するための手段】
かかる目的を達成するために本発明の化粧料容器は、化粧皿を受容する容器本体と、この容器本体に開閉自在に蝶着される蓋体とを備え、容器本体に形成した凹陥部に設けた第１係合突起に蓋体側に設けた第２係合突起が係合されて、蓋体の閉止状態が保持されるようになった化粧料容器において、前記第１，第２係合突起の係合部分に外方から連通する開口部を容器本体に形成し、この開口部に薄肉軟質膜体で形成した押ボタンを密閉して取付けると共に、この押ボタンから一体に押ボタンの押圧により押し込まれる突起部を突設し、突起部には、その先端部に折り曲げ自在な略三角形状であって、上側が第２係合突起の下側に当接し、突起部の押し込みで凹陥部の後方内壁をガイド面としてせり上がって第２係合突起を第１係合突起から離脱させる折曲片を形成することにより構成する。
【０００７】
また、本発明の化粧料容器は、化粧皿を受容する容器本体と、この容器本体に開閉自在に蝶着される蓋体とを備え、容器本体に形成した凹陥部に設けた第１係合突起に蓋体側に設けた第２係合突起が係合されて、蓋体の閉止状態が保持されるようになった化粧料容器において、前記第１，第２係合突起の係合部分に外方から連通する開口部を容器本体に形成し、この開口部に薄肉軟質膜体で形成した押ボタンを密閉して取付けると共に、この押ボタンから一体に押ボタンの押圧により押し込まれる突起部を突設し、突起部には、その先端部に折り曲げ自在な略菱形状であって、第２係合突起の下側および凹陥部に形成した段部双方に当接し、突起部の押し込みで段部の規制を受けてせり上がって第２係合突起を第１係合突起から離脱させる折曲片を形成することにより構成する。
【０００８】
更に、前記押ボタンは薄肉軟質膜体で形成した膜体部分と、この膜体部分の周縁部に配置されて容器本体に嵌着される厚肉部分とで構成し、この厚肉部分から前記突起部を一体に形成することが望ましい。
【０００９】
【作用】
以上の構成により本発明の化粧料容器は、容器本体の開口部に取付けた押ボタンから一体に突起部が突設されており、また突起部には、その先端部に折り曲げ自在でせり上がる略三角形状あるいは略菱形状の折曲片が形成されていて、押ボタンを押圧することにより押圧力が突起部に伝達されて折曲片により強制的に第２係合突起を上方に押し上げて第１係合突起と第２係合突起とを離脱して簡単に係合解除され、蓋体を開放することができる。このとき、前記押ボタンは薄肉軟質膜体で形成されているため、押圧力により容易に撓んでその力を突起部に効率良く伝達して、蓋体の開放操作を簡単化することができる。また、前記突起部は押ボタンから一体に突設されるため、部品点数の削減を可能として化粧料容器を容易に組付けることができる。更に、前記開口部を押ボタンで密閉することができるため、この開口部から埃，ごみ等の異物が侵入するのを防止することができる。
【００１０】
更に、前記押ボタンを薄肉軟質膜体で形成した膜体部分と、この膜体部分の周縁部に配置されて容器本体に嵌着される厚肉部分とで構成し、この厚肉部分から前記突起部を一体に形成することにより、膜体部分と厚肉部分とをそれぞれ別材料で形成することが可能となる。このため、軟質の材料で形成される押ボタンに対して、厚肉部分を比較的硬質の材料で形成することが可能となり、延いては、この厚肉部分から一体に形成される突起部の強度を十分に確保することができる。
【００１１】
【実施例】
以下、本発明の実施例を添付図面を参照して詳細に説明する。図１から図３は本発明の化粧料容器の第１実施例を示し、図１は蓋体を閉止した状態の斜視図、図２は図１中のＡ−Ａ線の拡大断面図、図３は作動状態を示す図２中Ｄ部分の拡大断面図である。
【００１２】
即ち、本実施例の化粧料容器１０は図１から図３に示すように、容器本体１２と、この容器本体１２の後端部に蝶番１４を介して蝶着される蓋体１６とを備える。容器本体１２は周縁部に形成した周壁１２ａの内側に、図外の化粧皿を収納する収納部１２ｂが形成される。前記蝶番１４は容器本体１２の後端部中央に形成した凹部１４ａに、蓋体１６の後端部中央に形成した凸部１４ｂを嵌合して、これら凹部１４ａと凸部１４ｂとに跨がって両側部分から蝶番ピン１４ｃを挿入することにより構成される。一方、前記蓋体１６の裏面１６ａには凹部１６ｂが形成され、この凹部１６ｂにバニティミラーが嵌合されて取付けられる。尚、本実施例の化粧料容器１０では、図２中前記蝶番１４が設けられる右方を後方とし、その反対側となる左方を前方として説明する。
【００１３】
前記周壁１２ａの前方側は図２に示したように厚肉に形成され、この前方側周壁１２ａの中央部には上方に開口する凹陥部１２ｃが形成される。そして、この凹陥部１２ｃの後方内壁に第１係合突起２０を突設する一方、前記蓋体１６の前端部裏面１６ａには前記第１係合突起２０に対応する位置に第２係合突起２２を突設し、これら第１，第２係合突起２０，２２の係合状態で蓋体１６の閉止状態が保持されるようになっている。
【００１４】
また、前記容器本体１２の前端に前記凹陥部１２ｃに連通する開口部１２ｄを形成し、この開口部１２ｄから前記第１，第２係合突起２０，２２の係合を解除するようになっている。前記開口部１２ｄの周縁部には凹部１２ｅが形成され、この凹部１２ｅに押ボタン２４が密接して嵌着される。押ボタン２４は硬度変更が可能なウレタン樹脂やシリコンゴム等の軟質材料によって形成され、中央部を薄肉にして断面弧状に若干膨出形成した膜体部分２４ａと、その周縁部を構成する厚肉部分２４ｂとを備える。厚肉部分２４ｂは前記凹部１２ｅと共に矩形状に形成され、この厚肉部分２４ｂの両側から突設したダボを、前記凹部１２ｅに形成した係合凹部に係合することにより、押ボタン２４の抜脱が防止される。
【００１５】
前記膜体部分２４ａの内側からは一体に柱状の突起部２６が突設され、図２に示したようにこの突起部２６の先端部２６ａに、折り曲げ自在な略三角形状の折曲片２６ｃを形成し、この折曲片２６ｃの上側を第２係合突起２２の下側に当接させると共に、凹陥部１２ｃの後方内壁をガイド面として、この後方内壁に折曲片２６ｃの先端を当接させてある。そして、前記折曲片２６ｃと前記凹陥部１２ｃの後方内壁を押上機構として構成してある。
【００１６】
以上の構成により本実施例の化粧料容器１０にあっては、図２に示すように第１，第２係合突起２０，２２が互いに係合されて蓋体１６が閉止された状態にあり、かつ、押ボタン２４が押圧されることなく自然状態にあるときは、この押ボタン２４の膜体部分２４ａが膨出されて突起部２６が前方に後退されている。そして、蓋体１６を開放しようとして図３に示すように押ボタン２４の膜体部分２４ａを手動で押圧すると、この膜体部分２４ａの変形に伴って前記突起部２６が後方に押し出され、先端部２６ａの折曲片２６ｃが凹陥部１２ｃの後方内壁をせり上がる。すると、せり上がった前記折曲片２６ｃが第２係合突起２２を強制的に上方に押し上げて、この第２係合突起２２を第１係合突起２０から離脱させることができる。
【００１７】
このように第２係合突起２２が第１係合突起２０から離脱して係合が解除されることにより、蓋体１６は若干開動された状態となり、後は手動で蓋体１６を開放することができる。また、前記突起部２６は押ボタン２４の押圧力を解除することにより、膜体部分２４ａのばね作用により前方に復帰移動される。
【００１８】
次に、開放状態にある蓋体１６を閉止する際には、蓋体１６を単に手動で閉動することにより、第２係合突起２２が容器本体１２の凹陥部１２ｃに挿入されて第１係合突起２０に係合され、この第２係合突起２２の下側が前記突起部２６の折曲片２６ｃに当接された状態となる。
【００１９】
ところで、前記押ボタン２４は押圧力が作用する膜体部分２４ａが上記の軟質材料により薄肉に形成されているため、この膜体部分２４ａに押圧力が作用すると容易に撓んでその力を突起部２６に効率良く伝達することができる。このため、蓋体１６の開放操作を小さな押圧力で簡単に行うことができる。また、前記突起部２６は押ボタン２４から一体に突設されるため、化粧料容器１０全体の部品点数を削減して、その組付け作業を容易にすることができる。更に、前記突起部２６を配置するために容器本体１２に形成した開口部１２ｄは、凹部１２ｅに密接して嵌着される押ボタン２４で密閉することができるため、この開口部１２ｄから埃，ごみ等の異物が侵入するのを防止して、押ボタン２４の作動不良が生ずるのを防止できると共に、化粧料容器１０内を清潔に保つことができる。
【００２０】
図４，図５は本発明の第２実施例を示し、前記各実施例と同一構成部分に同一符号を付して重複する説明を省略して述べる。尚、図４は前記図２に対応する断面図、図５は作動状態を示す図４中Ｅ部分の拡大断面図である。
【００２１】
即ち、この実施例では突起部２６の先端部２６ａに形成した押上機構としての折曲片２６ｃを略菱形状に形成し、この菱形状折曲片２６ｃの後方上側の一辺を第２係合突起２２の下側に当接させると共に、後方下側の一辺を凹陥部１２ｃの底面に形成した段部１２ｉの角部に当接させてある。
【００２２】
従って、この実施例にあっては押ボタン２４の押圧により突起部２６を押込むと、折曲片２６ｃが段部１２ｉに規制されてせり上がって第２係合突起２２を押し上げ、第１係合突起２０から離脱させることができる。
【００２３】
図６から図８は本発明の第３実施例を示し、前記各実施例と同一構成部分に同一符号を付して重複する説明を省略して述べる。尚、図６は前記図２に対応する断面図、図７は作動状態を示す図６中Ｆ部分の拡大断面図，図８は押ボタンの要部を示す背面図である。
【００２４】
即ち、この実施例にあっては膜体部分２４ａと厚肉部分２４ｂとを別体に形成して、それらの周縁部のみを互いに接着することにより押ボタン２４を構成するようにしたもので、膜体部分２４ａを０．１ｍｍ〜０．５ｍｍ程度、本実施例では０．１２５ｍｍの膜薄のポリエチレンテレフタレートや塩化ビニール等の樹脂材でなる軟質材料で形成する一方、厚肉部分２４ｂを比較的硬質な材料で形成する。そして、前記厚肉部分２４ｂの内周部分から膜体部分２４ａの中心部に向かって片持ち状の支持杆２４ｄを、膜体部分２４ａとは独立して可撓可能に一体に突設し、この支持杆２４ｄから突起部２６を突設するようになっている。突起部２６の先端部２６ａは、蓋体１６の閉止状態で前記第２係合突起２２の下側に当接して配置される。また、前記凹陥部１２ｃの底面には、後方に行くに従って上方に持ち上がる押上機構としての傾斜面１２ｇが形成され、この傾斜面１２ｇに前記突起部２６の先端部２６ａ下側が当接される。
【００２５】
従って、この実施例にあっては蓋体１６を開放するにあたって押ボタン２４の膜体部分２４ａを押圧すると、この押圧力がこの膜体部分２４ａと別体に形成された突起部２６に伝達されて、この突起部２６は支持杆２４ｄを撓ませつつ押込まれ、第２係合突起２２を強制的に上方に持ち上げて第１係合突起２０から離脱されることになる。ところで、この実施例では膜体部分２４ａと厚肉部分２４ｂとを別材料で形成し、膜体部分２４ａより厚肉部分２４ｂを比較的硬質の材料で形成することができるので、軟質で形成される膜体部分２４ａと同一材料で形成する場合に比較して突起部２６の強度を十分に確保するこができる。
【００２６】
尚、この実施例で示した突起部２６を前記第１実施例〜第２実施例と同様の構成とすることができることはいうまでもない。
【００２７】
ところで、前記各実施例にあっては、押ボタン２４の中央部に膜体部分２４ａを形成して、この膜体部分２４ａを膨出形成した場合を開示したが、これに限ることなく開口部１２ｄを大径化して突起部２６の押込みを可能とする限りにおいて、前記膜体部分２４ａを偏平に形成することができる。
【００２８】
【発明の効果】
以上説明したように本発明の請求項１または２に示す化粧料容器にあっては、容器本体および蓋体から突設した第１，第２係合突起の係合部分に外方から連通する開口部を容器本体に形成し、この開口部に取付けた薄肉軟質膜体の押ボタンから第１，第２係合突起を離脱させる突起部を一体に突設し、突起部には、その先端部に折り曲げ自在でせり上がる略三角形状あるいは略菱形状の折曲片を形成したので、押ボタンが薄肉軟質膜体で形成されることにより、押圧力を効率良く突起部に伝達して蓋体の開放操作を簡単化することができると共に、折曲片で第２係合突起を強制的に上方に押し上げて第１，第２係合突起の係合を簡単に解除することができ、また、前記突起部が押ボタンから一体に突設されていることにより、部品点数の削減を可能として化粧料容器を容易に組付けることができる。また、前記開口部を押ボタンで密閉することができるため、この開口部から埃，ごみ等の異物が侵入して、第１，第２係合突起の作動不良を生ずるのを防止し、かつ、容器本体内を衛生的に保持することができるという各種優れた効果を奏する。
【００２９】
更に、本発明の請求項３にあっては、前記押ボタンを薄肉軟質膜体で形成した膜体部分と、この膜体部分の周縁部に配置されて容器本体に嵌着される厚肉部分とで構成し、この厚肉部分から前記突起部を一体に形成したので、膜体部分と厚肉部分とをそれぞれ別材料で形成することにより、軟質の材料で形成される押ボタンに対して厚肉部分を比較的硬質の材料で形成することが可能となり、延いては、この厚肉部分から一体に形成される突起部の強度を十分に確保して、耐久性の向上を図ることができるという各種優れた効果を奏する。
【図面の簡単な説明】
【図１】  本発明の化粧料容器の第１実施例を示す蓋体を閉止した状態の斜視図である。
【図２】  本発明の第１実施例を示す図１中のＡ−Ａ線の拡大断面図である。
【図３】  本発明の第１実施例の作動状態を示す図２中Ｄ部分の拡大断面図である。
【図４】  本発明の第２実施例を示す図２に対応する断面図である。
【図５】  本発明の第２実施例の作動状態を示す図４中Ｅ部分の拡大断面図である。
【図６】  本発明の第３実施例を示す図２に対応する断面図である。
【図７】  本発明の第３実施例の作動状態を示す図６中Ｆ部分の拡大断面図である。
【図８】  本発明の第３実施例を示す押ボタンの要部の背面図である。
【符号の説明】
１０  化粧料容器
１２  容器本体
１２ｄ  開口部
１２ｇ  傾斜面（押上機構）
１４  蝶番
１６  蓋体
２０  第１係合突起
２２  第２係合突起
２４  押ボタン
２４ａ  膜体部分
２４ｂ  厚肉部分
２６  突起部
２６ａ  先端部
２６ｃ  折曲片（押上機構）
【図１】
0003865799.tif 000002
【図２】
0003865799.tif 000003
【図３】
0003865799.tif 000004
【図４】
0003865799.tif 000005
【図５】
0003865799.tif 000006
【図６】
0003865799.tif 000007
【図７】
0003865799.tif 000008
【図８】
0003865799.tif 000009